(57)【特許請求の範囲】
【請求項１】
電源プラグを介して負荷に電力を供給する電源コンセントであって、
前記電源プラグが挿入されたことを検知すると共に、前記電源プラグを介して負荷に供給する電力量を検知する検知手段と、
電力の供給または遮断を制御する供給遮断制御部と、
前記電源プラグから電力供給が許容されていることを示す識別情報が送信されてきたことに応じて、前記送信されてきた識別情報と予め定める識別情報とに基づいて、前記電源プラグを介した負荷への電力の供給または遮断を制御するコンセント側制御手段とを備え、
前記コンセント側制御手段は、
前記予め定める識別情報に対応する供給可能な電力量を記憶する電力量記憶手段と、
前記電力量記憶手段により記憶した供給可能な電力量と、前記検知手段により検知する実際に供給する電力量とが、一致するか否かを判断する電力量判断手段とを含み、
前記電力量判断手段により一致しないと判断した場合には、前記供給遮断制御部により前記電源プラグを介した負荷への電力の供給を遮断するよう制御する、電源コンセント。
【請求項２】
前記電源コンセントは、前記電源プラグとの間で電力線搬送通信を行うためのコンセント側電力線搬送通信手段を含み、
前記コンセント側制御手段は、前記コンセント側電力線搬送通信手段を介して前記電力線搬送通信により前記電源プラグから電力供給が許容されていることを示す識別情報が送信されてきたことに応じて、前記送信されてきた識別情報と予め定める識別情報とに基づいて、前記電源プラグを介した負荷への電力の供給または遮断を制御する、請求項１に記載の電源コンセント。
【請求項３】
前記電源プラグには、電力供給が許容されていることを示す識別情報を保持するＲＦＩＤタグが付加されており、
前記電源コンセントは、前記ＲＦＩＤタグから前記識別情報を受信する受信手段を含み、
前記コンセント側制御手段は、前記受信手段により受信した前記識別情報と予め定める識別情報とに基づいて、前記電源プラグを介した負荷への電力の供給または遮断を制御する、請求項１に記載の電源コンセント。
【請求項４】
前記電力量記憶手段は、供給可能な電力量を、予め登録されることにより、または学習により記憶する、請求項１〜３のいずれかに記載の電源コンセント。
【請求項５】
前記電力量記憶手段は、供給可能な電力量を、前記電源プラグから通知されることにより記憶する、請求項１〜４のいずれかに記載の電源コンセント。
【請求項６】
前記コンセント側制御手段は、前記電力供給が許容されていることを示す識別情報を記憶するコンセント側記憶手段を含み、前記電源プラグから送信されてきた識別情報と前記コンセント側記憶手段に記憶されている識別情報との一致を判別する、請求項１〜５のいずれかに記載の電源コンセント。
【請求項７】
前記コンセント側制御手段は、前記電源プラグから送信されてきた識別情報と前記コンセント側記憶手段に記憶されている識別情報との一致の判別を、所定の時間が経過する毎に繰り返し行う、請求項６に記載の電源コンセント。
【請求項８】
電源コンセントと、電源プラグとを含む電力供給装置であって、
前記電源コンセントは、前記電源プラグを介して負荷に電力を供給するものであって、前記電源プラグが挿入されたことを検知すると共に、前記電源プラグを介して負荷に供給する電力量を検知する検知手段と、電力の供給または遮断を制御する供給遮断制御部と、前記電源プラグから電力供給が許容されていることを示す識別情報が送信されてきたことに応じて、前記送信されてきた識別情報と予め定める識別情報とに基づいて、前記電源プラグを介した負荷への電力の供給または遮断を制御するコンセント側制御手段とを備え、
前記コンセント側制御手段は、前記予め定める識別情報に対応する供給可能な電力量を記憶する電力量記憶手段と、前記電力量記憶手段により記憶した供給可能な電力量と、前記検知手段により検知する実際に供給する電力量とが、一致するか否かを判断する電力量判断手段とを含み、前記電力量判断手段により一致しないと判断した場合には、前記供給遮断制御部により前記電源プラグを介した負荷への電力の供給を遮断するよう制御し、
前記電源プラグは、前記電源コンセントに挿入することで負荷に電力を供給するものであって、電力供給が許容されていることを示す識別情報を前記電源コンセントに送信するプラグ側制御手段を備える、電力供給装置。
【請求項９】
前記電源プラグは、前記電源コンセントとの間で電力線搬送通信を行うためのプラグ側電力線搬送通信手段を含み、
前記プラグ側制御手段は、前記電源コンセントに挿入することによって前記電源コンセントから供給される電力を受け、前記プラグ側電力線搬送通信手段によって前記電力線搬送通信で電力供給が許容されていることを示す識別情報を前記電源コンセントに送信し、
前記電源コンセントは、前記電源プラグとの間で電力線搬送通信を行うためのコンセント側電力線搬送通信手段を含み、
前記コンセント側制御手段は、前記コンセント側電力線搬送通信手段を介して前記電力線搬送通信により前記電源プラグから電力供給が許容されていることを示す識別情報が送信されてきたことに応じて、前記送信されてきた識別情報と予め定める識別情報とに基づいて、前記電源プラグを介した負荷への電力の供給または遮断を制御する、請求項８に記載の電力供給装置。
【請求項１０】
前記プラグ側制御手段は、前記識別情報を保持するＲＦＩＤタグを含み、
前記電源コンセントは、前記ＲＦＩＤタグから前記識別情報を受信する受信手段を含み、
前記コンセント側制御手段は、前記受信手段により受信した前記識別情報と予め定める識別情報とに基づいて、前記電源プラグを介した負荷への電力の供給または遮断を制御する、請求項８に記載の電力供給装置。
【請求項１１】
電源コンセントに挿入することで負荷に電力を供給する電源プラグであって、
前記電源プラグを介して負荷に電力を供給するものであって、前記電源プラグが挿入されたことを検知すると共に、前記電源プラグを介して負荷に供給する電力量を検知する検知手段と、電力の供給または遮断を制御する供給遮断制御部と、前記電源プラグから電力供給が許容されていることを示す識別情報が送信されてきたことに応じて、前記送信されてきた識別情報と予め定める識別情報とに基づいて、前記電源プラグを介した負荷への電力の供給または遮断を制御するコンセント側制御手段とを備え、前記コンセント側制御手段は、前記予め定める識別情報に対応する供給可能な電力量を記憶する電力量記憶手段と、前記電力量記憶手段により記憶した供給可能な電力量と、前記検知手段により検知する実際に供給する電力量とが、一致するか否かを判断する電力量判断手段とを含み、前記電力量判断手段により一致しないと判断した場合には、前記供給遮断制御部により前記電源プラグを介した負荷への電力の供給を遮断するよう制御する電源コンセントを含む電力供給装置に用いられ、
電力供給が許容されていることを示す識別情報を前記電源コンセントに送信するプラグ側制御手段を備える、電源プラグ。
【請求項１２】
前記電源プラグは、前記電源コンセントとの間で電力線搬送通信を行うためのプラグ側電力線搬送通信手段を含み、
前記プラグ側制御手段は、前記電源コンセントに挿入することによって前記電源コンセントから供給される電力を受け、前記プラグ側電力線搬送通信手段によって前記電力線搬送通信で電力供給が許容されていることを示す識別情報を前記電源コンセントに送信し、
前記電源コンセントは、前記電源プラグとの間で電力線搬送通信を行うためのコンセント側電力線搬送通信手段を含み、
前記コンセント側制御手段は、前記コンセント側電力線搬送通信手段を介して前記電力線搬送通信により前記電源プラグから電力供給が許容されていることを示す識別情報が送信されてきたことに応じて、前記送信されてきた識別情報と予め定める識別情報とに基づいて、前記電源プラグを介した負荷への電力の供給または遮断を制御する、請求項１１に記載の電源プラグ。
【請求項１３】
前記プラグ側制御手段は、前記電源コンセントから負荷に供給される電力量を検知するプラグ側検知手段と、
前記プラグ側検知手段により検知した電力量を前記電源コンセントに通知する通知手段とを含む、請求項１１または１２に記載の電源プラグ。
【請求項１４】
請求項８〜１０のいずれかに記載の電力供給装置と、コンピュータとを含む電力供給システムであって、
前記電源コンセントは、
ネットワークに接続するためのコンセント側ネットワークインターフェース部と、
前記コンセント側ネットワークインターフェース部を介して、前記電力供給が許容されていることを示す識別情報を前記コンピュータへ送信する送信手段とを備え、
前記コンピュータは、
前記ネットワークに接続するためのコンピュータ側ネットワークインターフェース部と、
前記電力供給が許容されていることを示す識別情報に関連する所定の情報を記憶するコンピュータ側記憶手段と、
前記送信手段により送信された前記電力供給が許容されていることを示す識別情報が、前記コンピュータ側記憶手段により記憶した前記所定の情報に該当するか否かを判断する判断手段と、
前記判断手段により判断した結果に応じて、所定の動作を実行する実行手段とを備える、電力供給システム。
【発明の詳細な説明】
【技術分野】
【０００１】
この発明は、例えば、屋外でプラグインハイブリッド車のバッテリを充電するために電力を供給するための電源プラグ、電源コンセント、電力供給装置および電力供給システムに関する。
【背景技術】
【０００２】
電気自動車は、バッテリから電力をモータに供給することにより走行可能になっている。また、ハイブリッド車においては、ガソリンとバッテリにより走行可能になっている。このようなハイブリッド車は、最近では、家庭のコンセントにプラグを挿入してバッテリを充電することが可能なプラグインタイプのものが実用化されようとしている。プラグインハイブリッド車のバッテリを家庭で充電するためには、家屋の屋外に電源コンセントを設ける必要がある。しかし、屋外に電源コンセントを設置すると、第３者に盗電されるおそれがある。特に、マンション等の共同住宅においては、駐車場が家屋から離れている場合が多く、盗電されるおそれが高くなる。
【０００３】
特開２００６−２４４８１８号公報（特許文献１）には、このような盗電を防止するための電力供給システムについて記載されている。この電力供給システムは、使用者ＩＤを記憶したＩＣタグを電源プラグに備えている。この電源プラグを電源コンセントに挿入したときに、タグ読取装置によりＩＣタグから使用者ＩＤを読取り、その使用者ＩＤがタグデータベースに登録されているか否かを確認する。登録を確認すると、電源コンセントから電源プラグに商用電源が供給される。
【先行技術文献】
【特許文献】
【０００４】
【特許文献１】特開２００６−２４４８１８号公報
【発明の概要】
【発明が解決しようとする課題】
【０００５】
特許文献１に記載されている電力供給システムは、電源プラグのＩＣタグから使用者ＩＤを読取るのは比較的簡単に行えるために、セキュリティが万全でないという問題がある。
【０００６】
そこで、この発明は、比較的簡単な構成で盗電を防止できるようにした電源プラグ、電源コンセント、電力供給装置および電力供給システムを提供することを目的とする。
【課題を解決するための手段】
【０００７】
この発明に係る電源コンセントは、電源プラグを介して負荷に電力を供給する。電源コンセントは、電源プラグが挿入されたことを検知すると共に、電源プラグを介して負荷に供給する電力量を検知する検知手段と、電力の供給または遮断を制御する供給遮断制御部と、電源プラグから電力供給が許容されていることを示す識別情報が送信されてきたことに応じて、送信されてきた識別情報と予め定める識別情報とに基づいて、電源プラグを介した負荷への電力の供給または遮断を制御するコンセント側制御手段とを備える。コンセント側制御手段は、予め定める識別情報に対応する供給可能な電力量を記憶する電力量記憶手段と、電力量記憶手段により記憶した供給可能な電力量と、検知手段により検知する実際に供給する電力量とが、一致するか否かを判断する電力量判断手段とを含み、電力量判断手段により一致しないと判断した場合には、供給遮断制御部により電源プラグを介した負荷への電力の供給を遮断するよう制御する。
【０００８】
このように、電源プラグから送られてきた識別情報に基づいて、電力の供給または遮断を制御すると共に、識別情報に基づいて電力量を判断して、電力の供給または遮断を制御する。したがって、適切な電源プラグにのみ、電力を供給することができ、不適切な電源プラグが電源コンセントに挿入された場合であっても、電力を遮断して、盗電を防止することができる。
【０００９】
一実施形態として、電源コンセントは、電源プラグとの間で電力線搬送通信を行うためのコンセント側電力線搬送通信手段を含み、コンセント側制御手段は、コンセント側電力線搬送通信手段を介して電力線搬送通信により電源プラグから電力供給が許容されていることを示す識別情報が送信されてきたことに応じて、送信されてきた識別情報と予め定める識別情報とに基づいて、電源プラグを介した負荷への電力の供給または遮断を制御する。こうすることにより、電力線搬送通信を用いることにより、電源プラグと電源コンセントとの間で特殊な通信手段を用いる必要がなくなる。
【００１０】
他の実施形態として、電源プラグには、電力供給が許容されていることを示す識別情報を保持するＲＦＩＤタグが付加されており、電源コンセントは、ＲＦＩＤタグから識別情報を受信する受信手段を含み、コンセント側制御手段は、受信手段により受信した識別情報と予め定める識別情報とに基づいて、電源プラグを介した負荷への電力の供給または遮断を制御する。こうすることにより、電源プラグに付加されたＲＦＩＤタグから受信した識別情報と、識別情報に対応する電力量とに基づいて、電源プラグを介した負荷への電力の供給または遮断を制御することができる。したがって、識別情報のみでなく、電力量を追加することにより、ＲＦＩＤタグを用いた場合であっても、セキュリティを向上して、電力の供給または遮断の制御を行うことができる。また、ＲＦＩＤタグを用いるため、簡易な構成で安価に電力の供給または遮断の制御を行うことができる。
【００１１】
一実施形態として、電力量記憶手段は、供給可能な電力量を、予め登録されることにより、または学習により記憶する。こうすることにより、記憶する電力量を使用状況等に応じたものとすることができる。
【００１２】
他の実施形態として、電力量記憶手段は、供給可能な電力量を、電源プラグから通知されることにより記憶する。こうすることにより、記憶する電力量を電源プラグに応じたものとすることができる。
【００１３】
好ましくは、コンセント側制御手段は、電力供給が許容されていることを示す識別情報を記憶するコンセント側記憶手段を含み、電源プラグから送信されてきた識別情報とコンセント側記憶手段に記憶されている識別情報との一致を判別する。
【００１４】
電力供給が許容されていることを示す識別情報をコンセント側記憶手段に予め記憶しておくことにより、電源プラグから送信されてきた識別情報が、電力供給が許容されていることを示す識別情報であるかの判断が容易になる。
【００１５】
さらに好ましくは、コンセント側制御手段は、電源プラグから送信されてきた識別情報とコンセント側記憶手段に記憶されている識別情報との一致の判別を、所定の時間が経過する毎に繰り返し行う。
【００１６】
この発明の他の局面においては、電源コンセントと、電源プラグとを含む電力供給装置に関する。電源コンセントは、電源プラグを介して負荷に電力を供給するものであって、電源プラグが挿入されたことを検知すると共に、電源プラグを介して負荷に供給する電力量を検知する検知手段と、電力の供給または遮断を制御する供給遮断制御部と、電源プラグから電力供給が許容されていることを示す識別情報が送信されてきたことに応じて、送信されてきた識別情報と予め定める識別情報とに基づいて、電源プラグを介した負荷への電力の供給または遮断を制御するコンセント側制御手段とを備え、コンセント側制御手段は、予め定める識別情報に対応する供給可能な電力量を記憶する電力量記憶手段と、電力量記憶手段により記憶した供給可能な電力量と、検知手段により検知する実際に供給する電力量とが、一致するか否かを判断する電力量判断手段とを含み、電力量判断手段により一致しないと判断した場合には、供給遮断制御部により電源プラグを介した負荷への電力の供給を遮断するよう制御する。電源プラグは、電源コンセントに挿入することで負荷に電力を供給するものであって、電力供給が許容されていることを示す識別情報を電源コンセントに送信するプラグ側制御手段を備える。
【００１７】
このように、電源プラグから送られてきた識別情報に基づいて、電力の供給または遮断を制御すると共に、識別情報に基づいて電力量を判断して、電力の供給または遮断を制御する。したがって、適切な電源プラグにのみ、電力を供給することができ、不適切な電源プラグが電源コンセントに挿入された場合であっても、電力を遮断して、盗電を防止することができる。
【００１８】
一実施形態として、電源プラグは、電源コンセントとの間で電力線搬送通信を行うためのプラグ側電力線搬送通信手段を含み、プラグ側制御手段は、電源コンセントに挿入することによって電源コンセントから供給される電力を受け、プラグ側電力線搬送通信手段によって電力線搬送通信で電力供給が許容されていることを示す識別情報を電源コンセントに送信する。電源コンセントは、電源プラグとの間で電力線搬送通信を行うためのコンセント側電力線搬送通信手段を含み、コンセント側制御手段は、コンセント側電力線搬送通信手段を介して電力線搬送通信により電源プラグから電力供給が許容されていることを示す識別情報が送信されてきたことに応じて、送信されてきた識別情報と予め定める識別情報とに基づいて、電源プラグを介した負荷への電力の供給または遮断を制御する。
【００１９】
他の実施形態として、プラグ側制御手段は、識別情報を保持するＲＦＩＤタグを含み、電源コンセントは、ＲＦＩＤタグから識別情報を受信する受信手段を含み、コンセント側制御手段は、受信手段により受信した識別情報と予め定める識別情報とに基づいて、電源プラグを介した負荷への電力の供給または遮断を制御する。
【００２０】
この発明のさらに他の局面においては、電源コンセントに挿入することで負荷に電力を供給する電源プラグに関する。電源プラグは、電源プラグを介して負荷に電力を供給するものであって、電源プラグが挿入されたことを検知すると共に、電源プラグを介して負荷に供給する電力量を検知する検知手段と、電力の供給または遮断を制御する供給遮断制御部と、電源プラグから電力供給が許容されていることを示す識別情報が送信されてきたことに応じて、送信されてきた識別情報と予め定める識別情報とに基づいて、電源プラグを介した負荷への電力の供給または遮断を制御するコンセント側制御手段とを備え、コンセント側制御手段は、予め定める識別情報に対応する供給可能な電力量を記憶する電力量記憶手段と、電力量記憶手段により記憶した供給可能な電力量と、検知手段により検知する実際に供給する電力量とが、一致するか否かを判断する電力量判断手段とを含み、電力量判断手段により一致しないと判断した場合には、供給遮断制御部により電源プラグを介した負荷への電力の供給を遮断するよう制御する電源コンセントを含む電力供給装置に用いられる。そして、電力供給が許容されていることを示す識別情報を電源コンセントに送信するプラグ側制御手段を備える。
【００２１】
このように、電源プラグは、電源コンセントに向けて識別情報を送信するため、電源コンセントにおいて、電源プラグから送られてきた識別情報に基づいて、電力の供給または遮断を制御すると共に、識別情報に基づいて電力量を判断して、電力の供給または遮断を制御する。したがって、適切な電源プラグにのみ、電力を供給することができ、不適切な電源プラグが電源コンセントに挿入された場合であっても、電力を遮断して、盗電を防止することができる。
【００２２】
一実施形態として、電源プラグは、電源コンセントとの間で電力線搬送通信を行うためのプラグ側電力線搬送通信手段を含み、プラグ側制御手段は、電源コンセントに挿入することによって電源コンセントから供給される電力を受け、プラグ側電力線搬送通信手段によって電力線搬送通信で電力供給が許容されていることを示す識別情報を電源コンセントに送信する。そして、電源コンセントは、電源プラグとの間で電力線搬送通信を行うためのコンセント側電力線搬送通信手段を含み、コンセント側制御手段は、コンセント側電力線搬送通信手段を介して電力線搬送通信により電源プラグから電力供給が許容されていることを示す識別情報が送信されてきたことに応じて、送信されてきた識別情報と予め定める識別情報とに基づいて、電源プラグを介した負荷への電力の供給または遮断を制御するものである。
【００２３】
好ましくは、プラグ側制御手段は、電源コンセントから負荷に供給される電力量を検知するプラグ側検知手段と、プラグ側検知手段により検知した電力量を電源コンセントに通知する通知手段とを含む。こうすることにより、電源コンセントにおいて、電源プラグを介した負荷に供給される電力量を認識することができる。
【００２４】
この発明のさらに他の局面においては、上記に記載の電力供給装置と、コンピュータとを含む電力供給システムに関する。電源コンセントは、ネットワークに接続するためのコンセント側ネットワークインターフェース部と、コンセント側ネットワークインターフェース部を介して、電力供給が許容されていることを示す識別情報をコンピュータへ送信する送信手段とを備える。コンピュータは、ネットワークに接続するためのコンピュータ側ネットワークインターフェース部と、電力供給が許容されていることを示す識別情報に関連する所定の情報を記憶するコンピュータ側記憶手段と、送信手段により送信された電力供給が許容されていることを示す識別情報が、コンピュータ側記憶手段により記憶した所定の情報に該当するか否かを判断する判断手段と、判断手段により判断した結果に応じて、所定の動作を実行する実行手段とを備える。
【００２５】
こうすることにより、電力供給が許容されていることを示す識別情報が、所定の情報、例えば盗難車の情報に該当するか否かに応じて、所定の動作を実行することができる。その結果、盗難車の発見等を容易に行うことができる。
【発明の効果】
【００２６】
この発明に係る電源コンセントは、電源プラグから送られてきた識別情報に基づいて、電力の供給または遮断を制御すると共に、識別情報に基づいて電力量を判断して、電力の供給または遮断を制御する。したがって、適切な電源プラグにのみ、電力を供給することができ、不適切な電源プラグが電源コンセントに挿入された場合であっても、電力を遮断して、盗電を防止することができる。
【００２７】
また、この発明に係る電力供給装置は、電源プラグから送られてきた識別情報に基づいて、電力の供給または遮断を制御すると共に、識別情報に基づいて電力量を判断して、電力の供給または遮断を制御する。したがって、適切な電源プラグにのみ、電力を供給することができ、不適切な電源プラグが電源コンセントに挿入された場合であっても、電力を遮断して、盗電を防止することができる。
【００２８】
また、この発明に係る電源プラグは、電源プラグは、電源コンセントに向けて識別情報を送信するため、電源コンセントにおいて、電源プラグから送られてきた識別情報に基づいて、電力の供給または遮断を制御すると共に、識別情報に基づいて電力量を判断して、電力の供給または遮断を制御する。したがって、適切な電源プラグにのみ、電力を供給することができ、不適切な電源プラグが電源コンセントに挿入された場合であっても、電力を遮断して、盗電を防止することができる。
【００２９】
また、この発明に係る電力供給システムは、電力供給が許容されていることを示す識別情報が、所定の情報、例えば盗難車の情報に該当するか否かに応じて、所定の動作を実行することができる。その結果、盗難車の発見等を容易に行うことができる。
【図面の簡単な説明】
【００３０】
【図１】この発明の一実施形態における電源コンセントと電源プラグとを含む電力供給装置と、設定部とを示すブロック図である。
【図２】図１に示した電源コンセント部と電源プラグ部との接続状態を示す図である。
【図３】電源コンセント部と電源プラグ部とにＩＤ番号を設定するための動作を示すフローチャートである。
【図４】この発明の一実施形態における電力供給装置の動作を説明するためのフローチャートである。
【図５】この発明の他の実施形態における電力供給装置を示すブロック図である。
【図６】電力供給を制御する他の実施形態であって、電力供給装置の動作を説明するためのフローチャートである。
【図７】電力供給を制御するさらに他の実施形態であって、電力供給装置の動作を説明するためのフローチャートである。
【図８】供給される電力量を電源コンセント部に通知する場合における電源プラグ部を示すブロック図である。
【図９】電源プラグ部を介して、負荷に電力を供給する場合について示すフローチャートである。
【図１０】図１の電力供給装置の電源コンセント部にテーブルタップを接続する場合を示す図である。
【図１１】この発明のさらに他の実施形態における電力供給装置を示すブロック図である。
【図１２】電力供給装置が、電源プラグ部への電力供給を制御する場合について示すフローチャートである。
【図１３】この発明のさらに他の実施形態における電力供給システムの一例を示す図である。
【図１４】この発明のさらに他の実施形態における電力供給システムの動作を説明するためのフローチャートである。
【発明を実施するための形態】
【００３１】
図１は、この発明の一実施形態における電源コンセントと電源プラグとを含む電力供給装置５と、設定部２とを示すブロック図である。
【００３２】
図１において、電力供給装置５は、電源コンセントとしての電源コンセント部３と、電源コンセント部３に挿入される電源プラグとしての電源プラグ部４とを含む。設定部２は、建物１内に設けられている。設定部２は、電源プラグ部４への電力供給を許容するか否かを識別するための識別情報としてのＩＤ番号を電源コンセント部３および電源プラグ部４に設定するために設けられている。電源ケーブル１０ａには、１００Ｖの商用の電源が供給される。電源ケーブル１０ａは、設定部２と電源コンセント部３とに接続されている。
【００３３】
設定部２は、制御部２１と、電力線搬送通信手段として作動するＰＬＣ（Ｐｏｗｅｒ  Ｌｉｎｅ  Ｃｏｍｍｕｎｉｃａｔｉｏｎ）ブロック２２と、メモリ２３と、操作部２４とを含む。
【００３４】
制御部２１は、操作部２４から電源コンセント部３のコンセント番号と、電源プラグ部４のプラグ番号と、ＩＤ番号とが入力されると、コンセント番号と、プラグ番号と、ＩＤ番号とをメモリ２３に記憶させる。ここで、メモリ２３にコンセント番号と、プラグ番号と、ＩＤ番号とを記憶させるのは、電源プラグ部４に対して、電力供給を許容するか否かを管理等するためである。また、制御部２１は、ＰＬＣブロック２２によりコンセント番号とプラグ番号とＩＤ番号とを電源ケーブル１０ａ，１０ｂを介して電源コンセント部３および電源プラグ部４に電力線搬送通信により伝送するための制御を行なう。
【００３５】
ＰＬＣブロック２２は、電源ケーブル１０ａに高周波信号を搬送波として重畳し、電源ケーブル１０ａを伝送路として、電源コンセント部３のＰＬＣブロック３２との間で、双方向で電力線搬送通信を行なう。電力線搬送通信には、スペクトラム拡散方式や、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式等がある。この実施形態においては、スペクトラム拡散方式を用いる。
【００３６】
スペクトル拡散方式は、送信側で狭帯域の信号を拡散符号を用いて広帯域へ拡散して送信する方式である。受信側では送信側と逆の操作を行い、同じ拡散符号を用いて元の狭帯域の信号を復元する。スペクトル拡散方式においては、狭帯域の雑音は受信側での逆拡散により広帯域のレベルが低下した雑音となるため、各種狭帯域の雑音に強い。また、送信側での拡散により、信号のピーク値を低くできるため、漏洩電界のピーク値漏洩低減が可能である。
【００３７】
電源コンセント部３は、電源プラグ部４を介して負荷に電力を供給するものであって、端子板３０と、コンセント側制御手段として作動する制御部３１と、コンセント側電力線搬送通信手段として作動するＰＬＣブロック３２と、エンベデッドメモリであって、コンセント側記憶手段として作動するメモリ３３と、検知手段として作動する検知回路３４と、供給遮断制御部として作動する電力遮断制御部３５とを含む。また、電源コンセント部３は、複数設けられており、例えば、建物１の外壁面等に複数設けられている。
【００３８】
端子板３０には、電源プラグ部４の差込端子が挿入される。制御部３１は、ＰＬＣブロック３２と、電力遮断制御部３５とを制御するとともに、メモリ３３の書込み読出しを制御する。ＰＬＣブロック３２は、電源ケーブル１０ａを介して設定部２のＰＬＣブロック２２との間で電力線搬送通信を行なうとともに、電源ケーブル１０ｂを介して電源プラグ部４のＰＬＣブロック４２との間で電力線搬送通信を行う。メモリ３３は、ＩＤ番号を記憶する。このＩＤ番号は、挿入された電源プラグ部４が電力供給を許容されているものであるか否かを電源コンセント部３側で判別するためのものである。例えば、電源コンセント部３において、複数の電源プラグ部４の電力供給を許容している場合には、メモリ３３は、複数の電源プラグ部４が記憶しているＩＤ番号と同じ複数のＩＤ番号を記憶する。また、メモリ３３は、コンセント番号を記憶する。コンセント番号とは、例えば、出荷時に予め付与される製造番号やシリアル番号等であって、複数の電源コンセント部３のそれぞれを識別するためのものである。検知回路３４は、端子板３０に電源プラグ部４の差込端子が挿入されているか否かを検知する。検知回路３４は、例えば、電源プラグ部４が端子板３０に挿入されているか否かをパルス信号によって検知する。具体的には、電源プラグ部４へパルス信号を送信し、送信したパルス信号に対する応答が返ってくると、検知回路３４は、電源プラグ部４が端子板３０に挿入されていると検知する。電力遮断制御部３５は、制御部３１の制御に応じて、端子板３０への電力の供給または遮断を行なう。
【００３９】
電源コンセント部３は、登録モードと、通常モードと、常時通電モードとを具備する。登録モードとは、メモリ３３にＩＤ番号を記憶することが可能な状態であることを言う。また、通常モードとは、メモリ３３に記憶したＩＤ番号と一致する電源プラグ部４にのみ通電が可能な状態であることを言う。また、常時通電モードとは、メモリ３３に記憶したＩＤ番号に一致するか否かに関わらず、任意の電源プラグ部４に通電が可能な状態であることを言う。
【００４０】
電源プラグ部４は、負荷に電力を供給するものであって、プラグ側制御手段として作動する制御部４１と、プラグ側電力線搬送通信手段として作動するＰＬＣブロック４２と、エンベデッドメモリであって、プラグ側記憶手段として作動するメモリ４３とを含む。また、電源プラグ部４は、複数設けられている。
【００４１】
制御部４１は、ＰＬＣブロック４２を制御するとともに、メモリ４３の書込み読出しを制御する。ＰＬＣブロック４２は、電源ケーブル１０ｂを介して電源コンセント部３のＰＬＣブロック３２との間で電力線搬送通信を行なう。メモリ４３は、ＩＤ番号を記憶する。このＩＤ番号は、上記した電源コンセント部３に電源プラグ部４を挿入した際に、その電源プラグ部４が電力供給を許容されているものであるか否かを電源コンセント部３側で判別するためのものである。例えば、複数の電源プラグ部４のそれぞれにおいて、異なる固有のＩＤ番号を記憶する。また、メモリ４３は、プラグ番号を記憶する。プラグ番号とは、例えば、出荷時に予め付与される製造番号やシリアル番号等であって、複数の電源プラグ部４のそれぞれを識別するためのものである。
【００４２】
図２は、図１に示した電源コンセント部３と電源プラグ部４との接続状態を示す図である。図２において、電源ケーブル１０ａの芯線は、受け端子３６，３７に接続されている。受け端子３６，３７には、端子板３０を介して電源プラグ部４の差込端子４４，４５が挿入される。電源プラグ部４が電源コンセント部３の端子板３０に挿入されると、電源ケーブル１０ａから受け端子３６，３７および電源プラグ部４の差込端子４４，４５を介して電源ケーブル１０ｂに電力が供給される。
【００４３】
ここで、設定部２が、電源コンセント部３と電源プラグ部４とにＩＤ番号を設定する場合について説明する。図３は、電源コンセント部３と電源プラグ部４とにＩＤ番号を設定するための動作を示すフローチャートであり、（Ａ）は設定部２の動作を示し、（Ｂ）は電源コンセント部３の動作を示し、（Ｃ）は電源プラグ部４の動作を示す。
【００４４】
ＩＤ番号の設定時には、設定部２のＰＬＣブロック２２と、電源コンセント部３のＰＬＣブロック３２との間での電力線搬送通信が確立される。また、電源プラグ部４が電源コンセント部３の端子板３０に挿入されると、検知回路３４は、電源プラグ部４が挿入されたことを検知し、電源プラグ部４が挿入されたことを示す検知信号を制御部３１に出力する。そして、制御部３１は、電源プラグ部４が挿入されたことを検知して、電力遮断制御部３５をオンさせ、電力を電源ケーブル１０ａから端子板３０に通電させる。これにより、電源プラグ部４に電力が供給され、電源コンセント部３のＰＬＣブロック３２と、電源プラグ部４のＰＬＣブロック４２との間での電力線搬送通信が確立される。また、制御部３１は、登録モードに移行する。
【００４５】
まず、利用者は、予め用意されたＩＤ番号を設定するコンセント番号の一覧等を参照して、設定部２の操作部２４からコンセント番号とＩＤ番号とを入力する。コンセント番号は、複数の電源コンセント部３が設けられている場合、それぞれを識別するために入力される。ＩＤ番号は、電力供給が許容されている電源プラグ部４を識別するために入力される。
【００４６】
設定部２の制御部２１は、図３（Ａ）に示すステップ（図示ではＳＰと略称する。）ＳＰ１において、コンセント番号が入力されたか否かを判別しており、コンセント番号が入力されたことを判別すると、ステップＳＰ２において、ＩＤ番号が入力されたか否かを判別する。ＩＤ番号が入力されたことを判別すると、ステップＳＰ３において、コンセント番号とＩＤ番号とをメモリ２３に書込むとともに、ＰＬＣブロック２２によって電源ケーブル１０ａに送出させる。ＰＬＣブロック２２は、電源ケーブル１０ａを介して電源コンセント部３のＰＬＣブロック３２との間で、電力線搬送通信を確立し、コンセント番号とＩＤ番号とを送出する。
【００４７】
なお、電力線搬送通信の確立とは、送信側である設定部２のＰＬＣブロック２２から、電力線搬送通信により送信されたデータを受信側である電源コンセント部３のＰＬＣブロック３２において復元できたことを言う。
【００４８】
電源コンセント部３のＰＬＣブロック３２は、設定部２のＰＬＣブロック２２から送出されたコンセント番号とＩＤ番号とを受信して制御部３１に出力する。制御部３１は、図３（Ｂ）に示すステップＳＰ１１において、複数の電源コンセント部３のコンセント番号のうち、対応するコンセント番号を受信したか否かを判別し、受信したことを判別すると、ステップＳＰ１２において、ＩＤ番号を受信したか否かを判別する。制御部３１は、ＩＤ番号を受信したことを判別すると、ステップＳＰ１３において、受信したＩＤ番号をメモリ３３に書込む。
【００４９】
さらに、利用者は、設定部２の操作部２４からプラグ番号とＩＤ番号とを入力する。ＩＤ番号は、電源コンセント部３に設定したものと同じＩＤ番号である。
【００５０】
設定部２の制御部２１は、ＳＰ４において、プラグ番号が入力されたか否かを判別しており、プラグ番号が入力されたことを判別すると、ステップＳＰ５において、ＩＤ番号が入力されたか否かを判別する。ＩＤ番号が入力されたことを判別すると、制御部２１は、ステップＳＰ６において、プラグ番号とＩＤ番号とをメモリ２３に書込むとともに、プラグ番号とＩＤ番号とをＰＬＣブロック２２によって電源ケーブル１０ａに送出させる。ＰＬＣブロック２２は、電源ケーブル１０ａを介してプラグ番号とＩＤ番号とを送出する。
【００５１】
電源プラグ部４のＰＬＣブロック４２は、設定部２のＰＬＣブロック２２との間で電力線搬送通信を確立し、プラグ番号とＩＤ番号とを受信して制御部４１に出力する。制御部４１は、図３（Ｃ）に示すステップＳＰ２１において、複数の電源プラグ部４のプラグ番号のうち、対応するプラグ番号を受信したか否かを判別しており、プラグ番号を受信したことを判別すると、ステップＳＰ２２において、ＩＤ番号を受信したか否かを判別する。ＩＤ番号を受信したことを判別すると、ステップＳＰ２３において、ＩＤ番号をメモリ４３に書込む。
【００５２】
このようにして、電源プラグ部４を電源コンセント部３に挿入して、設定部２で電源コンセント部３と、電源プラグ部４とに電力の使用を許諾するための識別情報であるＩＤ番号を設定できる。また、ＩＤ番号を書込むメモリ３３，４３は、エンベデッドメモリであることから、セキュリティを向上させることができる。ＩＤ番号の設定を完了すると、利用者は電源プラグ部４を電源コンセント部３から引き抜いておく。
【００５３】
なお、電源プラグ部４に設定するＩＤ番号は、設定部２から電源プラグ部４に設定するようにしたが、設定部２から電源コンセント部３の制御部３１を介して電源プラグ部４に設定するようにしてもよい。すなわち、設定部２からコンセント番号と、プラグ番号と、ＩＤ番号とを入力してこれらを、電源コンセント部３に一旦送出し、電源コンセント部３のＰＬＣブロック３２と、電源プラグ部４のＰＬＣブロック４２との間で電力線搬送通信を確立し、プラグ番号と、ＩＤ番号とを電源コンセント部３から電源プラグ部４に送出する。
【００５４】
また、コンセント番号と、ＩＤ番号とを設定する前に、電源プラグ部４を電源コンセント部３の端子板３０に挿入する例について説明したが、これに限ることなく、コンセント番号と、ＩＤ番号とを設定した後、電源プラグ部４を電源コンセント部３の端子板３０に挿入するようにしてもよい。
【００５５】
図４は、この発明の一実施形態における電力供給装置５の動作を説明するためのフローチャートである。例えば、利用者が所有しているプラグインハイブリッド車のバッテリを充電するなどの実際の使用に際して、図２に示すように電源プラグ部４を電源コンセント部３の端子板３０に挿入する。電源プラグ部４を端子板３０に挿入すると、検知回路３４は、電源プラグ部４が挿入されたことを検知して、電源プラグ部４が挿入されたことを示す検知信号を制御部３１に出力する。
【００５６】
制御部３１は、図４に示すステップＳＰ３１において、電源プラグ部４が挿入されたことを検知すると、ステップＳＰ３２において、電力遮断制御部３５をオンさせ、電力を電源ケーブル１０ａから端子板３０に通電させる。これにより、電源プラグ部４に電力が供給され、電源コンセント部３のＰＬＣブロック３２と、電源プラグ部４のＰＬＣブロック４２との間での電力線搬送通信が確立される。また、制御部３１は、上記した通常モードまたは常時通電モードに移行する。この実施形態においては、通常モードに移行する。
【００５７】
電力線搬送通信が確立すると、電源プラグ部４の制御部４１はメモリ４３に書込まれているＩＤ番号を読み出し、ＰＬＣブロック４２によってＩＤ番号を電力線搬送通信により電源ケーブル１０ｂに送出する。
【００５８】
電源コンセント部３の制御部３１は、ステップＳＰ３３において、電力線搬送通信が確立したか否かを検知していて、電力線搬送通信が確立したことを検知すると、ステップＳＰ３４において、ＩＤ番号が送出されたか否かを検知する。制御部３１は、ＩＤ番号の送出を検知すると、ステップＳＰ３５において、メモリ３３に書込まれているＩＤ番号と、電源プラグ部４から送出されてきたＩＤ番号とが一致しているか否かを照合する。制御部３１は、ＩＤ番号の一致を判別すると、ステップＳＰ３６において電源プラグ部４の挿入を検知しなくなったことを判別するまで、電力遮断制御部３５による通電を続行して、電源プラグ部４を介した負荷に電力を供給し続ける。
【００５９】
なお、上記ステップＳＰ３３において、電力線搬送通信が確立したことが判別されなかったとき、ステップＳＰ３４においてＩＤ番号の送出が検知できなかったとき、ステップＳＰ３５において照合が検知できなかったときはそれぞれステップＳＰ３７に進んで、電力遮断制御部３５をオフにして通電を停止する。
【００６０】
利用者は、プラグインハイブリッド車のバッテリへの充電が終了すると、電源プラグ部４を端子板３０から引抜く。電源プラグ部４が引抜かれると、差込端子４４，４５も引抜かれ、制御部３１はステップＳＰ３６において、検知回路３４により、電源プラグ部４が引抜かれたことを判別するので、ステップＳＰ３７において、電力遮断制御部３５をオフにして、電源プラグ部４への通電を停止する。
【００６１】
そして、ステップＳＰ３８において、電源プラグ部４が挿入されているか否かを判別し、電源プラグ部４が抜取られていて電源プラグ部４の挿入されていないことが判別されると、初期状態に戻る。電源プラグ部４が電源コンセント部３に挿入されたままであれば、その状態、すなわち、通電を停止した状態を維持する。これは、一旦通電を終了すると、電源プラグ部４を抜取った後、再度電源プラグ部４を電源コンセント部３に挿入しなければ通電を行えないようにするためである。
【００６２】
上述のように、この発明の実施形態によれば、電力供給が許容されていない電源プラグが電源コンセントに挿入されても、ＩＤ番号を照合できないので、電力供給が禁止され、盗電を防止できる。しかも、電力線搬送通信を使用してＩＤ番号を送出するようにしたので、他に通信媒体を用いる必要がなく、構成を簡略化できる。
【００６３】
なお、電源コンセント部３には、複数の異なる電源プラグ部４を挿入可能にし、設定部２により、異なるＩＤ番号を各電源プラグ部４に割り当てておき、各ＩＤ番号を電源コンセント部３のメモリ３３に記憶しておいてもよい。そうすることによって、いずれかの電源プラグ部４が電源コンセント部３に挿入されてＩＤ番号を照合できたときに、通電を行うようにすることができる。また、ＩＤ番号を各電源プラグ部４ごとに異ならせることなく、共通のＩＤ番号を割り当てておいてもよい。
【００６４】
また、上述の実施形態では、検知回路３４は、電源プラグ部４が端子板３０に挿入されているか否かの検知を、パルス信号によって検知する例について説明したが、これに限ることなく、電源プラグ部４が端子板３０に挿入されているか否かを光学センサによって検知してもよいし、マイクロスイッチ等によって機械的に検知してもよい。
【００６５】
また、上述の実施形態では、設定部２のメモリ２３にコンセント番号と、プラグ番号と、ＩＤ番号とを記憶する例について説明したが、電源プラグ部４に対して、電力供給を許容するか否かを管理等しなくてもよい場合には、記憶しなくてもよい。
【００６６】
また、上述の実施形態では、電力供給装置５は、設定部２を含まない例について説明したが、これに限ることなく、設定部２を含んでもよい。
【００６７】
また、上述の実施形態では、電力線搬送通信には、スペクトラム拡散方式を用いる例について説明したが、ＯＦＤＭ方式を用いてもよい。なお、ＯＦＤＭ方式は、多数の搬送波を周波数軸上で直交多重した伝送方式であり、周波数利用効率が高く、高速化が容易である。ＯＦＤＭ方式においては、搬送波毎の送信制御が可能であるため、既存無線局への影響が特に懸念される帯域に関しては、該当搬送波の送信を停止（所謂ノッチ）することで、既存無線局との共存が可能である。
【００６８】
また、上述の実施形態では、電源コンセント部３は、登録モードと、通常モードと、常時通電モードとを具備し、例えば、ＩＤ番号の設定時には、登録モードへ移行する例について説明したが、これに限ることなく、特にモードを具備することなく、ＩＤ番号の設定等を行ってもよい。
【００６９】
また、上述の実施形態では、電源コンセント部３および電源プラグ部４は複数設けられている例について説明したが、これに限ることなく、それぞれ１個である場合にも適用することができる。具体的には、ＩＤ番号の設定時において、１個の電源コンセント部３が設けられている場合には、コンセント番号の入力を省略し、ＩＤ番号のみを入力する。また、１個の電源プラグ部４が設けられている場合には、プラグ番号の入力を省略し、ＩＤ番号のみを入力する。
【００７０】
また、上述の実施形態では、予め用意されたＩＤ番号を設定するコンセント番号の一覧等を参照することにより、設定部２の操作部２４からコンセント番号を入力する例について説明したが、これに限ることなく、例えば、設定部２のＰＬＣブロック２２と、電源コンセント部３のＰＬＣブロック３２との間での電力線搬送通信が確立した際に、電源コンセント部３から自身のコンセント番号を設定部２に通知することにより、通知されたコンセント番号を参照して入力してもよい。
【００７１】
また、上述の実施形態では、設定部２を設けることにより、設定部２のＰＬＣブロック２２と電源コンセント部３のＰＬＣブロック３２との間で電力線搬送通信を行ってＩＤ番号を設定する例について説明したが、これに限ることなく、他の実施形態として、設定部を設けることなく、電源コンセント部に外部装置ＩＦ（インターフェース）部を設けることにより、外部装置ＩＦ部を介して、ＩＤ番号を設定してもよい。図５は、この発明の他の実施形態における電力供給装置５５を示すブロック図である。
【００７２】
図５を参照して、電力供給装置５５は、電源コンセント部５３と、電源プラグ部５４とを含む。この実施形態においては、電源コンセント部５３と、電源プラグ部５４とは、それぞれ１個設けられている。電源コンセント部５３は、外部装置ＩＦ部６６を含む。外部装置ＩＦ部６６は、例えば、キーボードや表示画面（ディスプレイ）のような外部装置と接続するためのものである。すなわち、キーボードや表示画面は、外部装置ＩＦ部６６を介して、電源コンセント部５３に装着される。なお、その他の構成要素については、上記の実施形態と同様であるため、説明は省略する。
【００７３】
ここで、外部装置ＩＦ部６６を介して、電源コンセント部５３と電源プラグ部５４とにＩＤ番号を設定する場合について説明する。まず、利用者は、電源プラグ部５４を電源コンセント部５３の端子板６０に挿入する。電源プラグ部５４を端子板６０に挿入すると、検知回路６４は、電源プラグ部５４が挿入されていることを検知して、電源プラグ部５４が挿入されたことを示す検知信号を制御部６１に出力する。
【００７４】
制御部６１は、電源プラグ部５４が挿入されたことを検知すると、電力遮断制御部６５をオンさせ、電力を電源ケーブル５６ａから端子板６０に通電させる。これにより、電源プラグ部５４に電力が供給され、電源コンセント部５３のＰＬＣブロック６２と、電源プラグ部５４のＰＬＣブロック５８との間での電力線搬送通信が確立される。また、制御部６１は、登録モードに移行する。
【００７５】
そして、利用者によって、電源コンセント部５３のＩＤ番号を設定するよう選択され、キーボードからＩＤ番号を入力される。そうすると、制御部６１は、入力されたＩＤ番号を電源コンセント部５３のメモリ６３に書込む。
【００７６】
さらに、利用者によって、電源プラグ部５４のＩＤ番号を設定するよう選択され、キーボードからＩＤ番号を入力される。そうすると、制御部６１は、入力されたＩＤ番号をＰＬＣブロック６２によって電源ケーブル５６ａに送出させる。ＰＬＣブロック６２は、電源ケーブル５６ａを介してＩＤ番号を送出する。電源プラグ部５４のＰＬＣブロック５８は、電源コンセント部５３のＰＬＣブロック６２との間で電力線搬送通信を確立し、ＩＤ番号を受信して制御部５７に出力する。制御部５７は、ＩＤ番号を電源プラグ部５４のメモリ５９に書込む。
【００７７】
こうすることにより、設定部を設けることなく、簡易な構成で、ＩＤ番号を設定することができる。
【００７８】
また、上述の実施形態では、ＩＤ番号は、設定部や外部装置を用いて、利用者によって設定される例について説明したが、これに限ることなく、出荷時に予め付与される製造番号やシリアル番号のようなものであってもよい。
【００７９】
また、上述の実施形態では、コンセント番号とプラグ番号とは、出荷時に予め付与される製造番号やシリアル番号である例について説明したが、これに限ることなく、ＩＤ番号を設定する場合と同様に、設定部や外部装置を用いて設定してもよい。
【００８０】
なお、上述の実施形態では、電力供給装置５の動作として、図４に示すように、一旦ＩＤ番号を照合すると、電源プラグ部４の挿入を検知しなくなったことを判別するまで、電力遮断制御部３５による通電を続行する例について説明したが、これに限ることなく、所定の時間が経過する毎に、ＩＤ番号を照合することによって、通電を続行するか否かを制御してもよい。
【００８１】
図６は、電力供給を制御する他の実施形態であって、電力供給装置５の動作を説明するためのフローチャートである。図６に示すステップＳＰ６１において、電源プラグ部４が挿入されたことを検知すると、ステップＳＰ６２において、電力遮断制御部３５をオンさせ、電力を電源ケーブル１０ａから端子板３０に通電させる。これにより、電源プラグ部４に電力が供給され、電源コンセント部３のＰＬＣブロック３２と、電源プラグ部４のＰＬＣブロック４２との間での電力線搬送通信が確立される。
【００８２】
電力線搬送通信が確立すると、電源プラグ部４の制御部４１はメモリ４３に書込まれているＩＤ番号を読み出し、ＰＬＣブロック４２によってＩＤ番号を電力線搬送通信により電源ケーブル１０ｂに送出する。
【００８３】
電源コンセント部３の制御部３１は、ステップＳＰ６３において、電力線搬送通信が確立したか否かを検知していて、電力線搬送通信が確立したことを検知すると、ステップＳＰ６４において、ＩＤ番号が送出されたか否かを検知する。制御部３１は、ＩＤ番号の送出を検知すると、ステップＳＰ６５において、メモリ３３に書込まれているＩＤ番号と、電源プラグ部４から送出されてきたＩＤ番号とが一致しているか否かを照合する。制御部３１は、ＩＤ番号が一致していると判別すると、ステップＳＰ６６において、所定の時間が経過するまで、電力遮断制御部３５による通電を続行する。
【００８４】
そして、所定の時間が経過すると、再度、ステップＳＰ６５において、ＩＤ番号の照合を行う。このとき、ＩＤ番号が一致していないと判別すると、ステップＳＰ６７に進んで、電力遮断制御部３５をオフにして通電を停止する。
【００８５】
上述のように、この実施形態によれば、一旦ＩＤ番号を照合して、ＩＤ番号が一致していると判別した場合であっても、通電中に所定の時間が経過する毎に、繰り返しＩＤ番号を照合する。したがって、例えば、通電中に電力供給が許容されていない電源プラグ部に差し替えられた場合であっても、ＩＤ番号を照合できないため、通電を停止することができ、盗電をより確実に防止することができる。なお、所定の時間は、プラグインハイブリッド車等のバッテリの充電時間に応じた時間としてもよい。例えば、所定の時間として充電時間全体の１／４時間が経過する毎に、繰り返しＩＤ番号を照合してもよい。
【００８６】
また、上述の実施形態では、電力供給装置５の動作として、図４に示すように、ＩＤ番号を照合することにより、電力供給を制御する例について説明したが、ここで、電力供給を制御するさらに他の実施形態について説明する。
【００８７】
まず、図１を参照して、電源コンセント部３のメモリ３３は、ＩＤ番号に対応する供給可能な電力量を記憶する。例えば、上述したように、設定部２等により、ＩＤ番号を設定する際に合わせて予め書込まれることにより記憶する。ここで、メモリ３３は、電力量記憶手段として作動する。この供給可能な電力量とは、例えば、電源ケーブル１０ａを流れる単位時間当たりの電力である。そして、個々の負荷によって設定されている。すなわち、ＩＤ番号が１番の負荷に対する電力の電流は、１Ａであって、ＩＤ番号が２番の負荷に対する電力の電流は、２Ａである。このように、ＩＤ番号に対応して設定されている。検知回路３４は、電源プラグ部４を介して負荷に供給する電力量を検知する。制御部３１は、メモリ３３に記憶した電力量と、検知回路３４により検知する実際に供給する電力量とが、一致するか否かを判断する。この判断は、電力量が所定の範囲内に該当するか否かを判断することを含む。ここで、制御部３１は、電力量判断手段として作動する。
【００８８】
図７は、電力供給を制御するさらに他の実施形態であって、電力供給装置５の動作を説明するためのフローチャートである。図７に示すステップＳＰ７１において、電源プラグ部４が挿入されたことを検知すると、ステップＳＰ７２において、電力遮断制御部３５をオンさせ、電力を電源ケーブル１０ａから端子板３０に通電させる。これにより、電源プラグ部４に電力が供給され、電源コンセント部３のＰＬＣブロック３２と、電源プラグ部４のＰＬＣブロック４２との間での電力線搬送通信が確立される。
【００８９】
電力線搬送通信が確立すると、電源プラグ部４の制御部４１はメモリ４３に書込まれているＩＤ番号を読み出し、ＰＬＣブロック４２によってＩＤ番号を電力線搬送通信により電源ケーブル１０ｂに送出する。
【００９０】
電源コンセント部３の制御部３１は、ステップＳＰ７３において、電力線搬送通信が確立したか否かを検知していて、電力線搬送通信が確立したことを検知すると、ステップＳＰ７４において、ＩＤ番号が送出されたか否かを検知する。制御部３１は、ＩＤ番号の送出を検知すると、ステップＳＰ７５において、メモリ３３に書込まれているＩＤ番号と、電源プラグ部４から送出されてきたＩＤ番号とが一致しているか否かを照合する。制御部３１は、ＩＤ番号が一致していると判別すると、ステップＳＰ７６において、メモリ３３に記憶しているＩＤ番号に対応する電力量と、供給する電力量とが一致しているか否かを照合する。例えば、ＩＤ番号に対応する電力の電流が１Ａであって、実際に供給する電力の電流が１Ａであると、一致していると判断し、ステップＳＰ７７において、通電を継続するよう制御する。
【００９１】
そして、例えば、ステップＳＰ７８において、所定の時間が経過すると、再度、ステップＳＰ７６において、電力量の照合を行う。このとき、例えば、ＩＤ番号に対応する電力量が１Ａであって、実際に供給する電力量が２Ａに変化していると、電力量が一致していないと判断し、ステップＳＰ７９に進んで、電力遮断制御部３５をオフにして通電を停止するよう制御する。すなわち、電源プラグ部４を介した負荷への電力の供給を遮断するよう制御する。
【００９２】
上述のように、この実施形態によれば、一旦ＩＤ番号を照合して、ＩＤ番号が一致していると判別した場合であっても、さらに、電力量を照合することにより、適切な電源プラグにのみ、電力を供給することができ、不適切な電源プラグが電源コンセントに挿入された場合であっても、電力を遮断して、盗電をより確実に防止することができる。
【００９３】
なお、上述の実施形態では、検知回路３４が、供給する電力量を検知する例について説明したが、これに限ることなく、電源コンセント部３において、供給する電力量を検知する電力量検知ブロックを別途設ける構成としてもよい。
【００９４】
なお、ＩＤ番号に対応する供給可能な電力量は、学習させることにより設定されてもよい。例えば、実際に供給する電力量をメモリ３３に記憶しておき、予めメモリ３３に記憶されている電力量との差分を算出することにより、その差分を予めメモリ３３に記憶されている電力量に加算等することにより設定されてもよい。また、実際に供給する電力量を複数分メモリ３３に記憶しておき、それらの平均値等から設定されてもよい。
【００９５】
なお、上述の実施形態では、電源コンセント部３の制御部３１は、メモリ３３に記憶しているＩＤ番号に対応する電力量と、供給する電力量とが一致しているか否かを照合する例について説明したが、これに限ることなく、他の実施形態として、電源プラグ部が、電源コンセント部から供給される電力量を電源コンセント部に通知することにより、電源プラグ部から通知された電力量と、供給する電力量とが一致しているか否かを照合してもよい。図８は、供給される電力量を電源コンセント部に通知する場合における電源プラグ部９２を示すブロック図である。
【００９６】
図８を参照して、電源プラグ部９２は、電源コンセント部から負荷に供給される電力量を検知するプラグ側検知手段として作動する電力量検知ブロック９６を含む。制御部９３は、電力量検知ブロック９６により検知した電力量を電源コンセント部へ通知する。ここで、制御部９３は、通知手段として作動する。
【００９７】
図９は、電源プラグ部９２を介して、負荷に電力を供給する場合について示すフローチャートである。（Ａ）は電源コンセント部の動作を示し、（Ｂ）は電源プラグ部９２の動作を示している。図８および図９を参照して、電源プラグ部９２を介して、負荷に電力を供給する場合について説明する。なお、この場合の電源コンセント部は、図１に示す構成であってもよいし、図５に示す構成であってもよい。
【００９８】
まず、電源コンセント部は、図９（Ａ）に示すステップＳＰ８１において、電源プラグ部９２が挿入されたことを検知すると、ステップＳＰ８２において、電力遮断制御部をオンさせ、電力を電源ケーブルから端子板に通電させる。これにより、電源プラグ部９２に電力が供給され、電源コンセント部のＰＬＣブロックと、電源プラグ部９２のＰＬＣブロック９７との間での電力線搬送通信が確立される。
【００９９】
電力線搬送通信が確立すると、電源プラグ部９２の制御部９３はメモリ９５に書込まれているＩＤ番号を読み出し、ＰＬＣブロック９７によってＩＤ番号を電力線搬送通信により電源ケーブル１０ｂに送出する。
【０１００】
電源コンセント部の制御部は、ステップＳＰ８３において、電力線搬送通信が確立したか否かを検知していて、電力線搬送通信が確立したことを検知すると、ステップＳＰ８４において、ＩＤ番号が送出されたか否かを検知する。制御部は、ＩＤ番号の送出を検知すると、ステップＳＰ８５において、メモリに書込まれているＩＤ番号と、電源プラグ部９２から送出されてきたＩＤ番号とが一致しているか否かを照合する。制御部は、ＩＤ番号が一致していると判別すると、ステップＳＰ８６において、電源プラグ部９２に対して、負荷に供給される電力量を通知するよう指示する。
【０１０１】
そうすると、電源プラグ部９２は、図９（Ｂ）に示すステップＳＰ１０１において、電力量を通知するよう指示を受け付け、ステップＳＰ１０２において、電力量検知ブロック９６により、負荷に供給される電力量を検知する。そして、ステップＳＰ１０３において、電源コンセント部に対して、検知した電力量を通知する。
【０１０２】
そうすると、電源コンセント部は、図９（Ａ）に示すステップＳＰ８７において、電源プラグ部９２から電力量を通知されると、通知された電力量をメモリに記憶し、ステップＳＰ８８において、通知された電力量と、供給する電力量とが一致しているか否かを照合する。例えば、通知された電力の電流が１Ａであって、実際に供給する電力の電流が１Ａであると、一致していると判断し、ステップＳＰ８９において、通電を継続するよう制御する。
【０１０３】
そして、例えば、ステップＳＰ９０において、所定の時間が経過すると、再度、ステップＳＰ８６において、電源プラグ部９２に対して、負荷に供給される電力量を通知するよう指示し、通知された電力量と、供給する電力量とが一致しているか否かを照合する。このとき、例えば、通知された電力量が１Ａであって、実際に供給する電力量が２Ａに変化していると、電力量が一致していないと判断し、ステップＳＰ９１に進んで、電力遮断制御部をオフにして通電を停止するよう制御する。すなわち、電源プラグ部９２を介した負荷への電力の供給を遮断するよう制御する。
【０１０４】
なお、ステップＳＰ８７において、電源プラグ部９２から電力量が通知されない場合においても、ステップＳＰ９１に進んで、電力遮断制御部をオフにして通電を停止するよう制御する。
【０１０５】
上述のように、この実施形態によれば、電源プラグ部９２から通知された電力量を用いることにより、電源コンセント部において、予めＩＤ番号に対応する電力量を記憶させておく必要なく、記憶する電力量を電源プラグ部９２に応じたものとすることができる。
【０１０６】
なお、上述の実施形態では、電源プラグ部９２は、電源コンセント部から電力量を通知するよう指示を受け付けることにより、検知した電力量を通知する例について説明したが、これに限ることなく、例えば、一定の時間間隔で検知した電力量を通知してもよい。
【０１０７】
また、上述の実施形態では、電源コンセント部は、電源プラグ部９２から通知された電力量をメモリに記憶することにより、通知された電力量と、供給する電力量とが一致しているか否かを照合する例について説明したが、これに限ることなく、電源プラグ部９２から通知された電力量をメモリに記憶することなく、通知された電力量と、供給する電力量とが一致しているか否かを照合してもよい。
【０１０８】
また、図１０は、図１の電力供給装置５の電源コンセント部３にテーブルタップ９０を接続する場合を示す図である。ここで、図１０を参照して、さらに他の実施形態について説明する。
【０１０９】
図１０を参照して、電源コンセント部３には、テーブルタップ９０が接続される。テーブルタップ９０は、複数の差込口９１ａ，９１ｂを有する構成である。ここで、複数の差込口９１ａ，９１ｂのうちの一つに電力供給が許容されている電源プラグ部９４ａが挿入されると、上述したように、ＩＤ番号を照合して電力の供給を開始する。その後、複数の差込口９１ａ，９１ｂのうちの他の一つに電力供給が許容されていない電源プラグ部９４ｂが追加挿入されると、そのまま電力の供給を続行する。その後、電力供給が許容されている電源プラグ部９４ａが引き抜かれると、電力供給が許容されていない電源プラグ部９４ｂのみ、電力の供給を続行する。このような場合であっても、上述した図６に示すように、所定の時間が経過する毎に、繰り返しＩＤ番号を照合すると、所定の時間経過後のＩＤ番号の照合において、一致していないと判別できるため、その結果、通電を停止することができ、盗電をより確実に防止することができる。また、上述した図７に示すように、複数の差込口９１ａ，９１ｂのうちの一つに電力供給が許容されている電源プラグ部９４ａが挿入され、その後、複数の差込口９１ａ，９１ｂのうちの他の一つに電力供給が許容されていない電源プラグ部９４ｂが追加挿入された場合であっても、電力量の変化により、ＩＤ番号に対応する電力量と一致しないと判断されるため、盗電をより確実に防止することができる。
【０１１０】
また、上述した図９においても同様である。具体的には、複数の差込口９１ａ，９１ｂのうちの一つに電力供給が許容されている電源プラグ部９４ａが挿入されると、電源プラグ部９４ａから、例えば１Ａの電力の電流が通知される。その後、複数の差込口９１ａ，９１ｂのうちの他の一つに電力供給が許容されていない電源プラグ部９４ｂが追加挿入されると、電源コンセント部３から供給する電力量は、電源プラグ部９４ａ，９４ｂの合計分となる。しかし、電力供給が許容されていない電源プラグ部９４ｂからは、電力の電流が通知されないため、電源コンセント部３から供給する電力の電流は、通知される１Ａとは異なる値となる。これにより、通知される電力量と供給する電力量とが一致しないと判断されるため、盗電をより確実に防止することができる。
【０１１１】
次に、電力供給を制御するこの発明のさらに他の実施形態について説明する。図１１は、この発明のさらに他の実施形態における電力供給装置１００を示すブロック図である。図１１を参照して、電力供給装置１００は、電源コンセント部１０１と、電源プラグ部１０２とを含む。
【０１１２】
電源コンセント部１０１は、電源プラグ部１０２を介して負荷に電力を供給するものであって、端子板１０９と、制御部１０６と、メモリ１０７と、電源プラグ部１０２の差込端子が挿入されているか否かを検知すると共に、電源プラグ部１０２を介して負荷に供給する電力量を検知する検知手段として作動する検知回路１０８と、供給遮断制御部として作動する電力遮断制御部１０４と、電源コンセント部１０１の外部に位置するＲＦＩＤ（Ｒａｄｉｏ  Ｆｒｅｑｕｅｎｃｙ  Ｉｄｅｎｔｉｆｉｃａｔｉｏｎ）タグを制御するタグ制御部１０５とを含む。メモリ１０７には、上述したように、電力供給を許容する電源プラグ部のＩＤ番号が記憶されていると共に、ＩＤ番号に対応する供給可能な電力量が記憶されている。ここで、メモリ１０７は、電力量記憶手段として作動する。タグ制御部１０５は、ＲＦＩＤタグを駆動させる電磁波を出力すると共に、ＲＦＩＤタグから送信される電磁波を受信する。なお、電磁波の受信においては、指向性を持たせて所定の方向からの電磁波のみを受信するよう制御してもよいし、特定のＲＦＩＤタグからの電磁波のみを受信するように制御してもよい。
【０１１３】
電源プラグ部１０２は、ＲＦＩＤタグ１１０が付加されている。ＲＦＩＤタグ１１０は、制御部１１１と、メモリ１１２とを含む。メモリ１１２には、上述した実施形態と同様に、電源プラグ部１０２への電力供給を許容するか否かを識別するための識別情報としてのＩＤ番号が記憶されている。ＲＦＩＤタグ１１０は、受動型のものであって、電源コンセント部１０１のタグ制御部１０５から出力する電磁波により駆動して、電源コンセント部１０１に対して、ＩＤ番号を送信する。なお、ＲＦＩＤタグ１１０とタグ制御部１０５との通信可能な距離は、例えば、５ｍｍ以下である。
【０１１４】
ここで、電力供給装置１００の動作について説明する。図１２は、電力供給装置１００が、電源プラグ部１０２への電力供給を制御する場合について示すフローチャートである。（Ａ）は、電源コンセント部１０１の動作を示し、（Ｂ）は、電源プラグ部１０２の動作を示している。
【０１１５】
まず、電源コンセント部１０１が電磁波を出力している状態において、電源プラグ部１０２が電源コンセント部１０１の電磁波の出力範囲まで近づくと、ＲＦＩＤタグ１１０が駆動する。そうすると、ＲＦＩＤタグ１１０の制御部１１１は、図１２（Ｂ）のステップＳＰ２１０において、メモリ１１２に記憶されているＩＤ番号を電源コンセント部１０１に向けて送信する。ここで、制御部１１１は、プラグ側制御手段として作動する。
【０１１６】
そうすると、電源コンセント部１０１は、図１２（Ａ）のステップＳＰ２０１において、電源プラグ部１０２から送信されたＩＤ番号を受信する。ここで、タグ制御部１０５は、受信手段として作動する。制御部１０６は、ＩＤ番号を受信すると、ステップＳＰ２０２において、メモリ１０７に記憶されているＩＤ番号と、電源プラグ部１０２から受信したＩＤ番号とが一致しているか否かを照合する。一致していないと判別した場合には、その後、検知回路１０８により、電源プラグ部１０２が挿入されたことを検知しても、ステップＳＰ２０６において、通電を行わない。一致していると判別した場合には、その後、電源プラグ部１０２が挿入されたことを検知すると、ステップＳＰ２０３において、電力遮断制御部１０４をオンさせ、電力を電源ケーブル１０３ａから端子板１０９に通電させる。そして、ステップＳＰ２０４において、メモリ１０７に記憶しているＩＤ番号に対応する電力量と、実際に供給する電力量とが一致しているか否かを照合する。ここで、一致していると判断すれば、ステップＳＰ２０５において、通電を継続するよう制御し、一致していないと判断すれば、ステップＳＰ２０６において、通電を停止するよう制御する。すなわち、電源プラグ部１０２を介した負荷への電力の供給を遮断するよう制御する。ここで、制御部１０６は、コンセント側制御手段、および電力量判断手段として作動する。
【０１１７】
このように、電力供給装置１００は、電源コンセント部１０１において、電源プラグ部１０２に付加されたＲＦＩＤタグ１１０から受信した識別情報と、識別情報に対応する電力量とに基づいて、電源プラグ部１０２を介した負荷への電力の供給または遮断を制御することができる。したがって、識別情報のみでなく、電力量を判断することにより、ＲＦＩＤタグを用いた場合であっても、セキュリティを向上して、電力の供給または遮断の制御を行うことができる。また、ＲＦＩＤタグ１１０を用いるため、簡易な構成で安価に電力の供給または遮断の制御を行うことができる。
【０１１８】
なお、ステップＳＰ２０１において、ＩＤ番号を受信できない場合には、その後、検知回路１０８により、電源プラグ部１０２が挿入されたことを検知しても、通電を行わない。
【０１１９】
また、上述の実施形態では、電力量の照合を行う際に、電源コンセント部１０１のメモリ１０７に記憶しているＩＤ番号に対応する電力量と、実際に供給する電力量とを照合する例について説明したが、これに限ることなく、電源プラグ部１０２のＲＦＩＤタグ１１０のメモリ１１２において、電源プラグ部１０２を介した負荷への供給可能な電力量を記憶して、識別情報と共に供給可能な電力量を電源コンセント部１０１へ送信することにより、電源コンセント部１０１において、電源プラグ部１０２から受信した電力量と、実際に供給する電力量とを照合してもよい。すなわち、この場合、電源コンセント部１０１のメモリ１０７には、ＩＤ番号に対応する電力量を記憶しなくてもよい。また、この場合、送信される電力量は、固定値となる。
【０１２０】
また、上述の実施形態では、電力量の照合を行う際に、検知回路１０８により、電源プラグ部１０２へ向けて供給する電力量を検知することにより、電源コンセント部１０１のメモリ１０７に記憶しているＩＤ番号に対応する電力量と、実際に供給する電力量とを照合する例について説明したが、これに限ることなく、電源プラグ部１０２のＲＦＩＤタグ１１０のメモリ１１２において、電源プラグ部１０２を介した負荷への供給可能な電力量を記憶して、識別情報と共に供給可能な電力量を電源コンセント部１０１へ送信することにより、電源コンセント部１０１において、電源プラグ部１０２から受信した電力量と、電源コンセント部１０１のメモリ１０７に記憶しているＩＤ番号に対応する電力量とを照合してもよい。この場合、電源プラグ部１０２が挿入されても、ＩＤ番号の照合と、電力量の照合とを行うまで、通電を開始しないように制御してもよい。
【０１２１】
また、上述の実施形態では、ステップＳＰ２０２において、ＩＤ番号の照合を行ったのちに、電源プラグ部１０２が挿入されたことを検知する例について説明したが、これに限ることなく、電源プラグ部１０２が挿入されたことを検知したのちに、ＲＦＩＤタグ１１０が駆動することにより、電源プラグ部１０２の挿入後、ＩＤ番号の照合が行われてもよい。この場合、電源プラグ部１０２が挿入されても、ＩＤ番号の照合と、電力量の照合とを行うまで、通電を開始しないように制御してもよい。
【０１２２】
また、ＩＤ番号の照合や電力量の照合は、所定の時間経過する毎に、繰り返し行うこととしてもよい。
【０１２３】
また、上述の実施形態では、電源コンセント部１０１において、タグ制御部１０５を含む構成とし、電源プラグ部１０２において、ＲＦＩＤタグ１１０を含む構成とし、図５等の実施形態で示したＰＬＣブロック６２，５８を含まない構成の例について説明したが、これに限ることなく、タグ制御部１０５およびＲＦＩＤタグ１１０に加えて、ＰＬＣブロックをそれぞれ含む構成とし、ＲＦＩＤタグ１１０による通信に加えて、電力線搬送通信を行うこととしてもよい。
【０１２４】
また、電源プラグ部１０２において、ＲＦＩＤタグ１１０およびＰＬＣブロックの両方を備えた構成であってもよいし、ＲＦＩＤタグ１１０のみを備えた構成であってもよいし、ＰＬＣブロックのみを備えた構成であってもよい。そして、電源コンセント部１０１は、タグ制御部１０５およびＰＬＣブロックの両方を備える構成とし、電源プラグ部１０２の構成に合わせて、タグ制御部１０５を作動させたり、ＰＬＣブロックを作動させる等の制御を行ってよい。
【０１２５】
次に、この発明のさらに他の実施形態における電力供給システムについて説明する。図１３は、この発明のさらに他の実施形態における電力供給システムの一例を示す図である。
【０１２６】
図１３を参照して、電力供給システムは、電源コンセント部７３および電源プラグ部７４を含む電力供給装置７５と、コンピュータ（パソコン）８８とを備える。
【０１２７】
電源コンセント部７３は、ネットワーク８７に接続するためのコンセント側ネットワークＩＦ部８６と、送信手段として作動する制御部８１を含む。コンピュータ８８は、ネットワーク８７に接続されており、ネットワーク８７に接続するためのコンピュータ側ネットワークＩＦ部７１と、コンピュータ８８全体を制御し、判断手段および実行手段として作動する制御部７０と、コンピュータ記憶手段として作動するメモリ７２とを含む。メモリ７２は、ＩＤ番号に関連する所定の情報を記憶する。なお、その他の構成要素については、上記の実施形態と同様であるため、説明は省略する。
【０１２８】
図１４は、この発明のさらに他の実施形態における電力供給システムの動作を説明するためのフローチャートであり、（Ａ）は電源コンセント部７３の動作を示し、（Ｂ）はコンピュータ８８の動作を示す。
【０１２９】
図１４に示すステップＳＰ４１において、電源プラグ部７４が挿入されたことを検知すると、ステップＳＰ４２において、電力遮断制御部８５をオンさせ、電力を電源ケーブル７６ａから端子板８０に通電させる。これにより、電源プラグ部７４に電力が供給され、電源コンセント部７３のＰＬＣブロック８２と、電源プラグ部７４のＰＬＣブロック７８との間での電力線搬送通信が確立される。ここで、制御部８１は、常時通電モードに移行する。
【０１３０】
電力線搬送通信が確立すると、電源プラグ部７４の制御部７７はメモリ７９に書込まれているＩＤ番号を読み出し、ＰＬＣブロック７８によってＩＤ番号を電力線搬送通信により電源ケーブル７６ｂに送出する。
【０１３１】
電源コンセント部７３の制御部８１は、ステップＳＰ４３において、電力線搬送通信が確立したか否かを検知していて、電力線搬送通信が確立したことを検知すると、ステップＳＰ４４において、ＩＤ番号が送出されたか否かを検知する。制御部８１は、ＩＤ番号の送出を検知すると、ステップＳＰ４５において、コンセント側ネットワークＩＦ部８６を介して、コンピュータ８８にＩＤ番号を送信する。
【０１３２】
そうすると、コンピュータ８８は、ＳＰ５１において、メモリ７２に記憶したＩＤ番号に関連する所定の情報、例えば、盗難車の情報と照合して、送信されたＩＤ番号が、盗難車に該当するか否かを判断する。具体的には、送信されたＩＤ番号には、車の製造番号が関連付けられており、その製造番号から盗難車に該当するか否かを判断する。
【０１３３】
そして、判断した結果に応じて、所定の動作を実行する。具体的には、盗難車に該当する場合には、ＳＰ５２において、コンピュータ側ネットワークＩＦ部７１を介して、通電を継続するよう、電源コンセント部７３に指示すると共に、警察へ通報する。また、該当しない場合には、ＳＰ５３において、コンピュータ側ネットワークＩＦ部７１を介して、そのまま通電を継続するよう、電源コンセント部７３に指示する。すなわち、コンピュータ８８は、盗難車等を管理しているセンタである。
【０１３４】
なお、上記ステップＳＰ４３において、電力線搬送通信が確立したことが判別されなかったとき、ステップＳＰ４４においてＩＤ番号の送出が検知できなかったときはそれぞれステップＳＰ４６に進んで、電力遮断制御部８５をオフにして通電を停止する。
【０１３５】
こうすることにより、電力供給が許容されていることを示す識別情報が、盗難車の情報に該当するか否かに応じて、所定の動作、ここでは警察に通報することができる。その結果、盗難車の発見等を容易に行うことができる。
【０１３６】
なお、上述の実施形態では、コンピュータは、所定の動作として、盗難車に該当する場合には、通電を継続するよう、電源コンセント部７３に指示すると共に、警察へ通報する例について説明したが、これに限ることなく、通電を終了するよう、電源コンセント部７３に指示してもよい。
【０１３７】
また、上述の実施形態では、電力供給システムは、設定部を含まない例について説明したが、これに限ることなく、設定部を含んでもよい。この場合、設定部は、ネットワークに接続するためのネットワークＩＦ部を含み、設定部のネットワークＩＦ部を介して、コンピュータにＩＤ番号を送信してもよい。
【０１３８】
また、上述の実施形態では、電力供給システムは、電源コンセント部７３および電源プラグ部７４において、ＰＬＣブロック８２，７８を含み、電力線搬送通信を行う例について説明したが、これに限ることなく、図１１に示すように、電源コンセント部においてタグ制御部を含む構成とすると共に、電源プラグ部においてＲＦＩＤタグを含む構成とし、ＲＦＩＤタグを用いて、ＩＤ番号等の送受信を行うこととしてもよい。
【０１３９】
また、本発明は、プラグインハイブリッド車や電気自動車、携帯電話等の充電可能なバッテリを有する電子機器等に適用することができる。
【０１４０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【符号の説明】
【０１４１】
１  建物、２  設定部、３，５３，７３，１０１  電源コンセント部、４，５４，７４，９４ａ，９４ｂ，９２，１０２  電源プラグ部、５，５５，７５，１００  電力供給装置、１０ａ，１０ｂ，５６ａ，５６ｂ，７６ａ，７６ｂ，１０３ａ，１０３ｂ  電源ケーブル、２１，３１，４１，５７，６１，７０，７７，８１，９３，１０６，１１１  制御部、２２，３２，４２，５８，６２，７８，８２，９７  ＰＬＣブロック、２３，３３，４３，５９，６３，７２，７９，８３，９５，１０７，１１２  メモリ、２４  操作部、３０，６０，８０，１０９  端子板、３４，６４，８４，１０８  検知回路、３５，６５，８５，１０４  電力遮断制御部、３６，３７  受け端子、４４，４５  差込端子、６６  外部装置ＩＦ部、７１，８６  ネットワークＩＦ部、８７  ネットワーク、８８  コンピュータ、９０  テーブルタップ、９１ａ，９１ｂ  差込口、９６  電力量検知ブロック、１０５  タグ制御部、１１０  ＲＦＩＤタグ。
【図１】
0005499360.tif 000002
【図２】
0005499360.tif 000003
【図３】
0005499360.tif 000004
【図４】
0005499360.tif 000005
【図５】
0005499360.tif 000006
【図６】
0005499360.tif 000007
【図７】
0005499360.tif 000008
【図８】
0005499360.tif 000009
【図９】
0005499360.tif 000010
【図１０】
0005499360.tif 000011
【図１１】
0005499360.tif 000012
【図１２】
0005499360.tif 000013
【図１３】
0005499360.tif 000014
【図１４】
0005499360.tif 000015